(57)【特許請求の範囲】
【請求項１】
躯体に上下に立設された本体部、厚さ方向を左右方向に向けて配置され、室内側の一側部が上記本体部の前面部の左右方向における中間部に室内外方向及び左右方向へ移動不能に連結された板状の連結部材、及び上記本体部の室外側を向く前面部と対向して配置され、左右方向のほぼ中央部が上記連結部材の室外側の側部に一体的に設けられた板状の挟持部材を有する方立本体と、この方立本体に設けられた係止部に係止されることにより、上記方立に上記係止部に係止された係止位置から下方へ移動不能に支持され、かつ左右の両端部に左右に隣接する二つの板材の下端隅部がそれぞれ載置される載置部材とを備えた板材支持用方立において、
上記連結板部にこれを左右方向に貫通し、かつ室内側が開放された切欠き凹部を形成し、この切欠き凹部内に上記載置部材を配置したことを特徴とする板材支持用方立。
【請求項２】
上記方立本体が筒状をなしており、上記本体部の室外側を向く前面部の左右方向における中間部には上下に延びる取付凹部が形成され、上記連結板部の室内側の一側部が上記取付凹部に室内外方向及び左右方向へ移動不能に挿入されていることを特徴とする請求項１に記載の板材支持用方立。
【請求項３】
上記切欠き凹部と対向する上記本体部の前壁部には、これを貫通し、かつ左右方向の幅が上記取付凹部より広い切欠き孔が形成されるとともに、この切欠き孔より下方の本体部の内部に上記係止部が設けられ、
上記載置部材が、挿入部、この挿入部から室外側に向かって突出する突出部、及びこの突出部の先端部に設けられ、両端部に上記二つの板材の各隅部が載置される載置部を有し、上記挿入部が、上記切欠き孔から上記本体部内に挿入された後、上記本体部内を上記係止部に突き当たるまで下方へ移動させられて上記係止位置に位置させられ、上記突出部が上記本体部の取付凹部から室外側に突出させられていることを特徴とする請求項２に記載の板材支持用方立。
【請求項４】
上記載置部材が上記係止位置より上側では、上記方立に上下方向へ移動可能支持されていることを特徴とする請求項１〜３のいずれかに記載の板材支持用方立。
【請求項５】
上記載置部材が、左右に二分された一対の半部を有し、各半部が上記係止位置より上側では互いに独立して上下方向へ移動可能であることを特徴とする請求項４に記載の板材支持用方立。
【発明の詳細な説明】
【０００１】
【発明の属する技術分野】
この発明は、窓ガラス、間仕切り用パネル等の板材を支持するための板材支持用方立に関する。
【０００２】
【従来の技術】
従来のこの種の方立としては、例えば特開２０００−４５４３７号公報に記載のものがある。この方立は、躯体に上下に立設された本体部、厚さ方向を左右方向に向けて配置され、室内側の一側部が本体部の前面略中央部に室内外方向及び左右方向へ移動不能に連結された連結部材、及び幅方向を左右方向に向け、かつ本体部の前面と対向して配置され、幅方向の中央部が連結部材の室外側の側部に一体的に設けられた挟持部材を有する方立本体と、連結部材の左右方向を向く両側面部にそれぞれ支持された二つの載置部材とを備えている。各載置部材には、左右に隣接して配置された窓ガラス（板材）の各下端一隅部がそれぞれ載置されている。窓ガラスの各下端他隅部は、一隅部が支持された方立に隣接する他の方立の載置部材に支持されている。これにより、窓ガラスが方立に支持されている。左右に隣接する窓ガラスの側部は、本体部の前面と挟持板部とによりシール部材を介して挟持されている。
【０００３】
【発明が解決しようとする課題】
上記従来の方立においては、二つの載置部材が連結部材の左右両側に配置されているため、二つの載置部材は、支持部材の厚さの分だけ左右方向に離間させられる。これに対応して、左右方向に隣接する二つの窓ガラスの間隔が広くなり、二つの窓ガラスの側部を挟持する挟持板部の左右方向の幅も広くなってしまう。この結果、建築物の美観を低下させるという問題があった。
【０００４】
【課題を解決するための手段】
この発明は、上記の問題を解決するために、躯体に上下に立設された本体部、厚さ方向を左右方向に向けて配置され、室内側の一側部が上記本体部の前面部の左右方向における中間部に室内外方向及び左右方向へ移動不能に連結された板状の連結部材、及び上記本体部の室外側を向く前面部と対向して配置され、左右方向のほぼ中央部が上記連結部材の室外側の側部に一体的に設けられた板状の挟持部材を有する方立本体と、この方立本体に設けられた係止部に係止されることにより、上記方立に上記係止部に係止された係止位置から下方へ移動不能に支持され、かつ左右の両端部に左右に隣接する二つの板材の下端隅部がそれぞれ載置される載置部材とを備えた板材支持用方立において、上記連結板部にこれを左右方向に貫通し、かつ室内側が開放された切欠き凹部を形成し、この切欠き凹部内に上記載置部材を配置したことを特徴としている。
この場合、上記方立本体が筒状をなしており、上記本体部の室外側を向く前面部の左右方向における中間部には上下に延びる取付凹部が形成され、上記連結板部の室内側の一側部が上記取付凹部に室内外方向及び左右方向へ移動不能に挿入されていることが望ましい。
上記切欠き凹部と対向する上記本体部の前壁部には、これを貫通し、かつ左右方向の幅が上記取付凹部より広い切欠き孔が形成されるとともに、この切欠き孔より下方の本体部の内部に上記係止部が設けられ、上記載置部材が、挿入部、この挿入部から室外側に向かって突出する突出部、及びこの突出部の先端部に設けられ、両端部に上記二つの板材の各隅部が載置される載置部を有し、上記挿入部が、上記切欠き孔から上記本体部内に挿入された後、上記本体部内を上記係止部に突き当たるまで下方へ移動させられて上記係止位置に位置させられ、上記突出部が上記本体部の取付凹部から室外側に突出させられていることが望ましい。
上記載置部材が上記係止位置より上側では、上記方立に上下方向へ移動可能支持されていることが望ましい。その場合には、上記載置部材が、左右に二分された一対の半部を有し、各半部が上記係止位置より上側では互いに独立して上下方向へ移動可能であることがさらに望ましい。
【０００５】
【発明の実施の形態】
以下、この発明の一実施の形態について図１〜図９を参照して説明する。
図１（Ａ），（Ｂ）は、この発明が適用された建築物の一例を示すものであり、躯体Ｂの四角形をなす開口部Ｂａの上下の面には、左右に延びる上枠Ｆｕ及び下枠Ｆｄがそれぞれ固定されている。上下の枠Ｆｕ，Ｆｄ間には、上下に延びる複数の板材支持用方立（以下、単に方立と略称することもある。）１が左右に離れて配置されている。各方立１０の上下の端部は、上下の枠Ｆｕ，Ｆｄを介して躯体Ｂに支持されている。左右に隣接する二つの方立１，１間には、複数の桟部材２が上下に離れて配置されている。各桟部材２の両端部は、左右に隣接する二つの方立１，１に後述するようにしてそれぞれ支持されている。上枠Ｆｕ、二つの方立１，１及び桟部材２によって囲まれる空間、二つの方立１，１及び二つの桟部材２，２によって囲まれる空間、並びに下枠Ｆｕ、二つの方立１，１及び桟部材２によって囲まれる空間には、それぞれ窓ガラスＧ（板材）が配置されている。各窓ガラスＧのうち、最下段の窓ガラスＧの重量は、下枠Ｆｄによって支持されているが、それより上側の窓ガラスＧの重量は、方立１によって支持されている。
【０００６】
方立１は、図２〜図９、特に図３、図４、図８及び図９に示すように、方立本体３と載置部材７とを備えている。方立本体３は、本体部４、連結部材５及び挟持部材６を有している。
【０００７】
図３及び図４に示すように、本体部４は、上下に立設され、その上端部と下端部とが、上枠Ｆｕ及び下枠Ｆｄを介して躯体Ｂにそれぞれ支持されている。本体部４は、断面長方形の筒状をなしており、断面の長手方向を室内外方向に向けて配置されている。本体部４の室外Ｏ側の内部には、本体部４内を室外Ｏ側と室内Ｉ側とに区分する横隔壁４１が形成されている。この横隔壁４１と本体部４の前壁部４２との間には、二つの縦隔壁４３，４４が左右方向に互いに離れて配置形成されている。二つの縦隔壁４３，４４の間に位置する前壁部４２が切り欠かれている。これにより、二つの縦隔壁４３，４４及び横隔壁４１によって囲まれ、かつ室外Ｏ側の前面部が開放した取付凹部４５が形成されている。取付凹部４５に臨む一方の縦隔壁４４には、他方の縦隔壁４３側に向かって突出する係合突出部４６，４７が形成されている。各係合突出部４６，４７の縦隔壁４３側の各先端面は、同一鉛直面上に位置しており、係合突出部４６，４７の先端面と縦隔壁４３との間の左右方向の中央部は、本体部４の左右方向の中央部と一致している。
【０００８】
連結部材５は、上下に長い板状をなすものであり、上下の端部が上枠Ｆｕ及び下枠Ｆｄを介して躯体Ｂに支持されている。連結部材５は、厚さ方向を左右方向に向けた状態で本体部４の前方中央に配置されている。連結部材５の室内Ｉ側の側部は、取付凹部４５内に挿入されており、縦隔壁４４との対向面には、係合突出部５１，５２が形成されている。そして、各係合突出部５１，５２を係合突出部４６，４７と係合させることにより、連結部材５が本体部４に室内外方向及び左右方向へ移動不能に連結されている。勿論、連結部材５の上下の端部は躯体Ｂによって固定されているから、連結部材５は本体部４にほぼ固定状態で連結されている。したがって、連結部材５は、本体部４と一体に形成してもよい。
【０００９】
挟持部材６は、連結部材５と同一の長さを有する板状をなすものであり、その幅方向を左右方向に向けて配置されている。しかも、挟持部材６は、その左右方向の幅が本体部４の左右方向の幅と同一に設定されており、幅方向の中央を本体部４の中央と一致させて本体部４の室外Ｏ側前方に配置されている。挟持部材６の中央部は、連結部材５の室外Ｏ側の側部に一体に連結されている。挟持部材６は、連結部材５と別体に形成し、連結部材５に室内外方向、左右方向及び上下方向へ移動不能に連結してもよい。
【００１０】
上記載置部材７は、本体部４に支持される一方、左右に隣接する窓ガラスＧ，Ｇの下端隅部を支持するためのものであり、方立本体３の本体部４に所定の係止位置から下方へは移動不能に、係止位置より上側では上下方向へ移動可能に、さらに室内外方向及び左右方向へは移動不能に支持されている。
【００１１】
すなわち、図６〜図９に示すように、連結部材５には、切欠き凹部５３が形成されている。この切欠き凹部５３は、上下左右に隣接する４枚の窓ガラスＧの中央部を含むように配置されている。切欠き凹部５３は、連結部材５を左右方向に縦断して形成されており、室内Ｉ側の側部が開放されている。室内外方向における切欠き凹部５３の幅は、この実施の形態では、同方向における連結部材５の幅と同一に設定されているが、載置部材７を切欠き凹部５３内に入り込ませることができる範囲においてできる限り狭くするのが望ましい。
【００１２】
本体部４の前壁部４２には、第１切欠き孔（切欠き孔）４２ａと、この第１切欠き孔４２ａの下側に続く第２切欠き孔４２ｂとが形成されている。第１、第２切欠き孔４２ａ，４２ｂは、いずれも四角形をなしており、前壁部４２を貫通している。第１切欠き孔４２ａは、その上端縁が切欠き凹部５３の上端縁と上下方向において一致するように配置されている。第１切欠き孔４２ａの左右方向の幅は、左右の側壁部４８，４９の内法寸法（側壁４８，４９の対向面間の距離）と等しく設定されている。ただし、必ずしも側壁部４８，４９の内法寸法と同一にする必要はなく、それより若干狭くしてもよい。
【００１３】
第２切欠き孔４２ｂは、前壁部４２の左右方向における中央部に配置されている。第２切欠き孔４２ｂの上下方向の長さは、第１切欠き孔４２ａの長さより長くても、短くてもよいが、この実施の形態では第１切欠き孔４２ａの長さとほぼ同一に設定されている。第２切欠き孔４２ｂの下端縁は、切欠き凹部５３の上下方向におけるほぼ中央部に位置している。第２切欠き孔４２ｂの左右方向の幅は、第１切欠き孔４２ａの幅より狭く、縦隔壁４３，４４の外法寸法より広く設定されている。したがって、第１切欠き孔４２ａの上端から第２切欠き孔４２ｂの下端までの間においては、縦隔壁部４３，４４が切り落とされている。その結果、本体部４の内部には、縦隔壁４３，４４の上方を向く切欠き面（係止部）４３ａ，４４ａが形成されている。この切欠き面４３ａ，４３ｂは、第２切欠き孔４２ｂの下端縁と上下方向において同一位置に位置している。
【００１４】
載置部材７は、図４、図８、図９及び図１０に示すように、左右に二等分された二つの半体７Ａ，７Ｂとから構成されている。二つの半体７Ａ，７Ｂは、左右に対向する面を互いに突き合わされており、突き合わせ面の一方には上下に延びる溝７ａが形成され、他方には溝７ａに上下方向へ摺動自在に嵌合する突起７ｂが形成されている点を除き、左右対称に形成されている。つまり、各半体７Ａ，７Ｂは、溝７ａ及び突起７ｂを除き、載置部材７を左右方向に二分した形状を有している。したがって、載置部材７全体を説明することによって半体７Ａ，７Ｂの構成は自ずと明かになるであろうから、載置部材７についてだけ説明することとし、半体７Ａ，７Ｂついての説明は省略する。
【００１５】
載置部材７は、頭部（挿入部）７１と、この頭部７１の下端面から下方へ向かって延びる脚部（挿入部）７２と、この脚部７２の下端部から室外Ｏ側へ向かって突出する突出部７３と、この突出部７３の先端部に設けられた載置部７４とを有している。
【００１６】
頭部７１は、直方体状をなしており、その高さ及び幅は、第１切欠き孔４２ａの高さ及び幅とほぼ同一に設定されている。頭部７１の厚さ（室内外方向の寸法）は、横隔壁４１と前壁部４２との間隔とほぼ同一に設定されている。したがって、頭部７１は、第１切欠き孔４２ａを通り、横隔壁４１に突き当たるまで本体部４内に挿入可能であり、本体部４内に挿入された状態では下方へ移動可能である。頭部７１は、その下端面が縦隔壁４３，４４切欠き面４３ａ，４３ｂに突き当たるとそれ以上下方へ移動することができなくなるる。頭部７１が切欠き面４３ａ，４３ｂに突き当たった位置が係止位置である。したがって、頭部７１、ひいては載置部材７は、係止位置から下方へ移動不能であるが、係止位置より上側では上下方向へ移動可能である。しかも、載置部材７は、左右の二分された二つの半体７Ａ，７Ｂから構成され、各半体７Ａ，７Ｂが互いに上下方向へ移動可能に連結されているので、各半体７Ａ，７Ｂは、それぞれ独立して上下方向へ移動可能である。また、載置部材７は、少なくともその一部が第２切欠き孔４２ｂと対向しているときには、頭部７１が前壁部４２と横隔壁４１とに突き当たることにより、室内外方向へ移動不能になっており、左右方向へも本体部４の左右の側壁によって移動不能とされている。つまり、載置部材７は、頭部７１が第２切欠き孔４２ｂと対向して位置しているときには、室内外方向及び左右方向へ移動不能になっている。したがって、半体７Ａ，７Ｂも室内外方向及び左右方向へ移動不能になっている。
【００１７】
脚部７１及び突出部７３は、その幅が一方の縦隔壁４３と他方の縦隔壁４４の係合突出部４６，４７の先端面との間の距離とほぼ等しく設定されており、取付凹部４５のうちの縦隔壁４３と係合突出部４６，４７との間の部分に上下方向へ移動可能に挿入されている。突出部７３は、取付凹部４５から室外Ｏ側に突出している。その結果、載置部７４も本体部４から室外Ｏ側に突出しており、載置部７４は本体部４の前壁部４２と挟持部材６との間のほぼ中央に位置している。載置部７４の上面の左端部、つまり左側の半体７Ａの載置部７４の上面には、左右に隣接して配置された窓ガラスＧ，Ｇのうちの左側に配置された窓ガラスＧの下端右隅部が緩衝部材８１を介して載置されており、右側の半体７Ｂの載置部７４の上面には、右側に配置された窓ガラスＧの下端左隅部が緩衝部材８１を介して載置されている。勿論、各窓ガラスＧ，Ｇの他方の各下端隅部は、方立１に隣接して配置された他の方立１の載置部７４に載置されている。これにより、各窓ガラスが方立１によって支持されている。しかも、窓ガラスＧは、半体７Ａ又は７Ｂと一体に係止位置から上方へ移動することができる。
なお、載置部材７の下端部は、切欠き凹部５３の下端より若干上側に位置しており、切欠き凹部５３の下端縁に接触することはない。
【００１８】
載置部材７を図６に示す係止位置に位置させる場合には、まず頭部７１及び脚部７２を第１、第２切欠き孔４２ａ，４２ｂから本体部４内に挿入する。頭部７１及び脚部７２が横隔壁４１に突き当たるまで挿入したら、載置部材７を下方へ移動させる。そして、頭部７１の下端面が切欠き面４３ａ，４４ａに突き当たるまで下方へ移動させることにより、載置部材７を係止位置に位置させることができる。その後、本体部４に連結部材５を組み付ける。
なお、本体部４の前面から切欠き凹部５３の室外Ｏ側の端部までの幅が室内外方向における載置部材７の幅より広い場合には、連結部材５を本体部４に組み付けた後、切欠き凹部５３内に左右いずれかの方向から挿入し、その後上記の手順によって載置部材７を係止位置に位置させることも可能である。
【００１９】
上記桟部材２は、図５に示すように、略「Ｈ」字状をなしており、幅方向を上下方向に向けた状態で互いに対向して水平に配置された一対の挟持板部２１，２２と、この挟持板部２１，２２をそれらの全長にわたって一体に連結する連結板部２３とを有している。連結板部２３は、挟持板部２１の室内Ｉ側を向く面の上下方向における中央より若干下側に形成された前突条２３ａと、挟持板部２２の室外Ｏ側を向く面の上下方向における中央より若干上側に形成された後突条２３ｂと、前後の突条２３ａ，２３ｂの先端部どうしを連結する縦板部２３ｃとから構成されている。
【００２０】
一対の挟持板部２１，２２の間隔は、本体部４の前面と挟持板部６との間隔と同一に設定されており、挟持板部２１は挟持板部６と室内外方向において同一位置に配置されている。しかも、挟持板部２１，２２及び後突条２３ｂは、左右に隣接する方立１，１間の距離とほぼ同一の長さを有している。したがって、挟持板部２１の左右方向の端面は、挟持部材６の左右方向を向く側面にほぼ接触し、挟持板部２２の左右方向の端面は、本体部４の側面の室外Ｏ側の端部にほぼ接触している。その一方、前突条２３ａ及び縦板部２３ｃは、一方の半体７Ａ（７Ｂ）の載置部７４の室外Ｏ側を向く前面まで延びている。そして、縦板部２３ｃが載置部７４の前面にボルトＴによって固定されることにより、桟部材２が載置部材７に固定されている。したがって、桟部材２も、半体７Ａ（７Ｂ）とともに係止位置から上方へ移動可能であり、係止位置より上側では上下方向へ移動可能である。後突条２３ｂの上面は、載置部７４の上面と同一平面上に位置しており、後突条２３ｂの上面には、窓ガラスＧの下端両隅部を除く中間部が緩衝部材８２を介して載置されている。
【００２１】
図２及び図３に示すように、窓ガラスＧの左右の側部と本体部４の前壁部４２及び挟持部材６との各間には、それらの間を気密に封止するシール部材８３が設けられている。ここで、左右に隣接するシール部材（連結部材５を間にして隣接する二つのシール部材）８３，８３の間隔は、載置部７４の左右方向の長さより小さくなっている。このため、仮に、シール部材８３が方立１の全長にわたって設けられていると、シール部材８３が載置部材７の上下方向への移動を阻害するしかし、シール部材８３の長さは、上下に隣接する桟部材２，２間の長さとほぼ同一の長さに設定されている。しかも、シール部材８３の下端部は、載置部７４が地震等によって上方へ移動したとしても、載置部７４がシール部材８３の下端部に接触することがない範囲において、桟部材２の上端より若干下側まで延びているだけである。したがって、シール部材８３が載置部材７（半体７Ａ，７Ｂ）の上下方向への移動を阻害することはない。なお、シール部材８３の上端部は、係止位置に位置している載置部７４より若干下側に位置している。
【００２２】
図２及び図５に示すように、窓ガラスＧの上下の端部と桟部材２の一対の挟持板部２１，２２との各間には、それらの間を密封するシール部材８４が設けられている。このシール部材８４の左右方向の両端部は、シール部材８３の下端部又は上端部に密封状態で接触している。したがって、窓ガラスＧと方立１及び桟部材２との各間は、シール部材８３，８４によって密封され、室内Ｉと室外Ｏとの間が封止されている。
【００２３】
図３に示すように、連結部材５と窓ガラスＧとの対向面間には、ゴム等の弾性材からなる緩衝部材８５が配置されており、その室内外方向の両端部は連結部材５と挟持部材６とに固定されている。したがって、窓ガラスＧが方立１に対して左右方向へ相対移動したとしても、窓ガラスＧが連結部材５に直接突き当たることがなく、緩衝部材８５を介して突き当たる。これによって、窓ガラスＧの左右方向の側部が連結部材５に突き当たって破損するのを防止している。
【００２４】
上記構成の方立１によれば、連結部材５に形成した切欠き凹部５３内に載置部材７を配置しているので、連結部材５の厚さの分だけ載置部材７の左右方向の幅を狭くすることができ、それに対応して左右に隣接する窓ガラスＧ，Ｇの間隔を狭くすることができる。したがって、挟持部材６の左右方向の幅を狭くすることができ、それによって建築物の美観を向上させることができる。
【００２５】
また、この実施の形態の方立１では、縦壁部４３，４４の切欠き面４３ａ，４４ａを、載置部材７を係止するための係止部として利用しているので、係止部を別途形成する必要がない。したがって、その分だけ方立１の製造費を軽減することができる。しかも、載置部材７の頭部７１を本体部４内に挿入することにより、前後左右方向へ移動不能にしているので、載置部材７を前後及び左右方向に対して移動不能にする部材を設ける必要もない。よって、方立の製造費をより一層軽減することができる。
【００２６】
さらに、載置部材７を上下方向へ相対移動可能な二つの半体７Ａ，７Ｂで構成しているので、建築物に層間変位が発生したときに、窓ガラスＧが割れるのを極力防止することができる。
【００２７】
なお、この発明は、上記の実施の形態に限定されるものでなく、適宜変更可能である。
例えば、上記の実施の形態においては、第１切欠き孔４２ａの下側に第２切欠き孔４２ｂを形成しているが、第２切欠き孔４２ｂは、必ずしも形成する必要はない。ただし、その場合にも頭部７１を第１切欠き孔４２ａから本体部４内に挿入した後、係止位置まで下方へ移動させることができるよう、縦隔壁４３，４４の第２切欠き孔４２ｂ対応する部分については切欠いておくことが必要である。また、上記の実施の形態においては、載置部材７を二つの半体７Ａ，７Ｂによって構成しているが、載置部材７全体を一体に形成してもよい。
さらに、上記の実施の形態においては、頭部７１の下端部に脚部７１を設け、この脚部７１の下端部に突出部７３を形成しているが、頭部７１に突出部７３を直接形成してもよい。
【００２８】
【発明の効果】
以上説明したように、この発明によれば、建築物の外部に露出する方立の挟持部材の左右方向の幅を狭くすることができ、それによって建築物の美観を向上させることができるという効果が得られる。
【図面の簡単な説明】
【図１】この発明に係る板材支持用方立が用いられた建築物を示す図であって、図１（Ａ）はその一部省略正面図、図１（Ｂ）は図１（Ａ）のＢ−Ｂ線に沿う断面図である。
【図２】図１（Ａ）のＸ円部の拡大図である。
【図３】図２のＸ−Ｘ線に沿う断面図である。
【図４】図２のＹ−Ｙ線に沿う断面図である。
【図５】図１（Ｂ）のＹ円部の拡大図である。
【図６】図４のＸ−Ｘ線に沿う断面図である。
【図７】図１〜図６に示す方立における方立本体の要部を示す斜視図である。
【図８】図７に示す方立本体に載置部材を取り付けた状態で示す斜視図である。
【図９】載置部材に桟部材を取り付けた状態で示す図８と同様の斜視図である。
【図１０】この発明に係る載置部材を示す斜視図である。
【符号の説明】
Ｇ  窓ガラス（板材）
１  板材支持用方立
３  方立本体
４  本体部
５  連結部材
６  挟持部材
７  載置部材
７Ａ  半体
７Ｂ  半体
４２  （本体部の）前壁部
４２ａ  第１切欠き孔（切欠き孔）
４３ａ  縦隔壁の切欠き面（係止部）
４４ａ  縦隔壁の切欠き面（係止部）
４５  取付凹部
５３  切欠き凹部
７１  頭部（挿入部）
７２  脚部（挿入部）
７３  突出部
７４  載置部
【図１】
0003903370.tif 000002
【図２】
0003903370.tif 000003
【図３】
0003903370.tif 000004
【図４】
0003903370.tif 000005
【図５】
0003903370.tif 000006
【図６】
0003903370.tif 000007
【図７】
0003903370.tif 000008
【図８】
0003903370.tif 000009
【図９】
0003903370.tif 000010
【図１０】
0003903370.tif 000011